(57)【要約】【課題】片手での操作が容易な点鼻スプレーを提供する。【解決手段】頂壁３２から点鼻ノズル３４を立設させた外ケース２と、この外ケース２内に配置される吐出容器５０とを具備する。吐出容器は、内容物が収容される内容器体５２を含む本体５１と、ステム８２を有する吐出部材７８とを備え、前記ステム８２を点鼻ノズル３４内に固定させている。前記外ケース２の上部に、前記吐出容器５０の本体５１に連係させた操作レバー４２を組み付ける。操作レバー４２は、外ケースへの軸着箇所から延びる第１アーム４４ａ及び第２アーム４４ｂを有する。第１アーム４４ａは本体５１に当接させている。第２アーム４４ｂは、外ケース２の上部に設けた切欠き２６を介して上方へ突設され、この第２アームを側外方へ倒すことで本体が上昇しステムから内容物を吐出するように構成している。【選択図】図１
2020055560.tif 000002
【特許請求の範囲】
【請求項１】
頂壁(３２)から点鼻ノズル(３４)を立設させた外ケース(２)と、
前記外ケース(２）内に配置される吐出容器(５０）と、を備え、
前記吐出容器(５０)は、
内容物が収容される内容器体(５２)と、前記内容器体の口頸部(５２ａ)に装着される装着部材(５４)とを有する本体(５１)と、
前記内容器体(５２)内の内容物を吐出する吐出部材(７８)とを備え、
前記吐出部材(７８)は、上方付勢状態で前記装着部材(５４)から上下動可能に突出するステム(８２)を有しており、
前記外ケース(２)内に昇降可能に前記本体(５１)を収容し、前記ステム(８２)を前記点鼻ノズル(３４)の内部に固定させ、
前記外ケース(２)の上部に、前記吐出容器(５０)の本体(５１)に連係させた操作レバー(４２)を、外ケース(２)の外側から操作可能に組み付け、
前記外ケース(２)の上部に切欠き(２６)が設けられており、
前記操作レバー(４２)は、前記外ケース(２)の内部へ軸着され、軸方向から見て軸着箇所から延びる第１アーム(４４ａ)及び第２アーム(４４ｂ)を有しており、初期状態において第２アーム(４４ｂ)を前記切欠き(２６)を介して上方へ突出するとともに、前記第１アーム(４４ａ)の先端部を前記本体(５１)に当接させており、前記第２アーム(４４ｂ)を初期状態の位置から側外方へ倒すことで前記本体(５１)を上昇させるとともに前記吐出部材（７８）を作動させて前記ステム（８２）から内容物を吐出し、かつ初期状態の位置へ戻すことで前記本体(５１)を下降させることが可能に形成したことを特徴とする、点鼻用スプレー。
【請求項２】
前記外ケース(２)は、上面開口の外容器体(４)と、
前記外容器体(４)の上端部(１０)に嵌合され、前記頂壁(３２)及び点鼻ノズル(３４)を含むキャップ体(２０)とで形成されており、
このキャップ体(２０)に前記切欠き(２６)が設けられていることを特徴とする、請求項１に記載された点鼻用スプレー。
【請求項３】
前記操作レバー(４２)の両側から突出する一対の回転軸(Ａ)を、前記外ケース(２)の内面に形成された一対の軸穴(Ｂ)にそれぞれ嵌合させていることを特徴とする請求項１又は請求項２に記載の点鼻用スプレー。
【発明の詳細な説明】
【技術分野】
【０００１】
本発明は、点鼻スプレーに関する。
【背景技術】
【０００２】
通常の点鼻スプレーは、ポンプ容器の上部にスプレーヘッドを装備しており、このスプレーヘッドを押し下げることでスプレーヘッドの上端の噴霧孔から内容物を噴霧させるように構成している（特許文献１）。
こうした点鼻スプレーを噴霧操作をする際の欠点として、鼻腔に挿入したスプレーヘッドを押し下げるため、挿入部から容器が外れてしまうなどの使用性に関する不便がある。
この欠点を改善したものとして、頂部からステムを起立したポンプ式の吐出容器と、この吐出容器の前面及び上面を覆うカバー体とを具備し、このカバー体の頂板から点鼻ノズルを立設させるとともに、点鼻ノズルの下部内に前記ステムを固定させ、前記吐出容器の胴部後面に指当て部を凹設したものが知られている（特許文献２）。
その指当て部に指を当てて押し上げると、カバー体に沿って吐出容器が上方へスライドするので、点鼻ノズルに固定されたステムが吐出容器の頂部側へ押し込まれ、点鼻ノズルから内容物が吐出される。
【先行技術文献】
【特許文献】
【０００３】
【特許文献１】特開２００８-１３２４０６号
【特許文献２】特許第５４３９０３７号
【発明の概要】
【発明が解決しようとする課題】
【０００４】
特許文献２の点鼻スプレーを片手で操作する際には、カバー体を把持しながら指当て部を押し上げる必要があった。しかしながら、市場においては、より簡易に操作することができる点鼻スプレーに対するニーズが存在している。
【０００５】
本発明の目的は、片手での操作が容易な点鼻スプレーを提供することである。
【課題を解決するための手段】
【０００６】
第１の手段は、頂壁３２から点鼻ノズル３４を立設させた外ケース２と、
前記外ケース２内に配置される吐出容器５０と、を備え、
前記吐出容器５０は、
内容物が収容される内容器体５２と、前記内容器体の口頸部５２ａに装着される装着部材５４とを有する本体５１と、
前記内容器体５２内の内容物を吐出する吐出部材７８とを備え、
前記吐出部材７８は、上方付勢状態で前記装着部材５４から上下動可能に突出するステム８２を有しており、
前記外ケース２内に昇降可能に前記本体５１を収容し、前記ステム８２を前記点鼻ノズル３４の内部に固定させ、
前記外ケース２の上部に、前記吐出容器５０の本体５１に連係させた操作レバー４２を、外ケース２の外側から操作可能に組み付け、
前記外ケース２の上部に切欠き２６が設けられており、
前記操作レバー４２は、前記外ケース２の内部へ軸着され、軸方向から見て軸着箇所から延びる第１アーム４４ａ及び第２アーム４４ｂを有しており、初期状態において前記第２アーム４４ｂを前記切欠き２６を介して上方へ突出するとともに、前記第１アーム４４ａの先端部を前記本体５１に当接させており、前記第２アーム４４ｂを初期状態の位置から側外方へ倒すことで前記本体５１を上昇させるとともに前記吐出部材７８を作動させて前記ステム８２から内容物を吐出し、かつ初期状態の位置へ戻すことで前記本体５１を下降させることが可能に形成した。
【０００７】
本手段では、外ケース２内に吐出容器５０を収容させるとともに、外ケースの点鼻ノズル３４内に吐出容器５０のステム８２を固定させ、外ケース２の上部に設けられた操作レバー４２を操作するので、片手での操作性がよい。
また操作レバー４２の第２アーム４４ｂを切欠き２６を介して上方へ突出するとともに、第１アーム４４ａの先端部を本体５１に当接させており、第２アーム４４ｂを側外方へ倒すことで本体５１を上昇させることが可能としている。操作レバー４２を操作する向きが上下方向ではないため、操作する力が強すぎることで点鼻ノズル３４が上下方向にブレて、点鼻ノズルの上端部で鼻腔の内部の患部を傷つけることがない。
【０００８】
第２の手段は、第１の手段を有し、かつ前記外ケース２は、上面開口の外容器体４と、
前記外容器体４の上端部１０に嵌合され、前記頂壁３２及び点鼻ノズル３４を含むキャップ体２０とで形成されており、
このキャップ体２０に切欠き２６が設けられている。
【０００９】
本手段では、外ケース２の外容器体４の上部に点鼻ノズル３４を含むキャップ体２０を嵌合するとともに、キャップ体２０に切欠き２６を設けている。この構成によれば、操作レバー４２を操作しても、前述の通り点鼻ノズル３４が昇降しないから、点鼻ノズル３４を利用者の鼻腔に挿入した状態で点鼻ノズル３４が鼻腔に深く嵌り込むことを防止できる。
【００１０】
第３の手段は、第１の手段又は第２の手段を有し、かつ
前記操作レバー４２の両側から突出する一対の回転軸Ａを、前記外ケース２の内面に形成された一対の軸穴Ｂにそれぞれ嵌合させている。
【００１１】
本手段では、操作レバー４２の両側から突出する一対の回転軸Ａを、外ケース２の内面に形成された一対の軸穴Ｂにそれぞれ嵌合させている。従って外ケース２に対して操作レバーを安定的に回転させることができ、本体５１を確実に昇降させることができる。
【発明の効果】
【００１２】
第１の手段に係る発明によれば、外ケース２内に吐出容器５０を収容させるとともに、外ケースの点鼻ノズル３４内に吐出容器５０のステム８２を固定させ、外ケース２の上部に操作レバー４２を設けたから、片手での操作性がよい。
また操作レバー４２の第２アーム４４ｂを上方突出状態から側外方へ倒すことで本体５１を上昇させることが可能であり、操作レバー４２を操作する向きが上下方向ではないため、操作時に点鼻ノズル３４が上下方向にブレて、点鼻ノズルの上端部で鼻腔の内部の患部を傷つけることがない。
第２の手段に係る発明によれば、外ケース２の外容器体４の上部に点鼻ノズル３４を含むキャップ体２０を嵌合するとともに、キャップ体２０に切欠き２６を設けており、操作レバー４２を操作しても、前述の通り点鼻ノズル３４が昇降しないから、点鼻ノズル３４を利用者の鼻腔に挿入した状態で点鼻ノズル３４が鼻腔に深く嵌り込むことを防止できる。
第３の手段に係る発明によれば、操作レバー４２の両側から突出する一対の回転軸Ａを、外ケース２の内面に形成された一対の軸穴Ｂにそれぞれ嵌合させているから、操作レバーを安定的に回転させることができ、本体を確実に昇降させることができる。
【図面の簡単な説明】
【００１３】
【図１】本発明の実施形態に係る点鼻スプレーの縦断面図である。
【図２】図１の点鼻スプレーの平面図である。
【図３】図１の点鼻スプレーの組立手順の説明図である。
【図４】図１の点鼻スプレーの作用説明図である。
【発明を実施するための最良の形態】
【００１４】
図１から図４は、本発明の実施形態に係る点鼻スプレーを示している。点鼻スプレーは、外ケース２と、操作レバー４２と、吐出容器５０とで構成されている。これら各部材は、例えば合成樹脂で形成することができる。
【００１５】
外ケース２は、図１に示す如く、外容器体４と、キャップ体２０とで形成されている。
【００１６】
前記外容器体４は、外底壁６の周辺から外周壁８を起立している。外周壁８の上端部１０は、キャップ体２０との嵌合箇所であり、上端部１０の外面には外リブ１０ａが周設されている。
図示例では、外底壁は、半円形の前部と矩形の後部を組み合わせた形状に形成されている（図２参照）。もっともこの構造は適宜変更することができる。
なお、本明細書では、図２の左方を“前”と、同図の右方を“後”と、同図の上方を“右”と、同図の下方を“左”とそれぞれ称する。
図示例の外周壁８は、外底壁６の前部の縁から起立する弧状の前壁部８ａと、外底壁６の後部の左右側縁から起立する左右一対の平行な側壁部８ｂと、外底壁６の後部の後縁から起立する後壁部８ｃとで形成されている。
前記左右一対の側壁部８ｂの内面には、後述の回転軸Ａを支えるための下側軸受１４が設けられている。図示の下側軸受１４は、図３に示す如く、各側壁部８ｂの下端から上端へ亘って縦長の突起部を内方に突設するとともに、この突起部の上端部に、半円形の下側半穴１６を形成してなる。
【００１７】
前記キャップ体２０は、前記外容器体４の上端部１０に嵌合された嵌合筒部２２を有し、この嵌合筒部２２の上端から内向き円環フランジ状の頂壁３２を介して点鼻ノズル３４を起立している。
前記嵌合筒部２２の内面には、前記外容器体４の外リブ１０ａと係合する突起部を形成する。
本実施形態では、前記嵌合筒部２２と頂壁３２との間に、弧状壁部２５を含む階段状周壁部２４を設けている。もっとも嵌合筒部２２と頂壁３２との間の周壁部は必ずしも階段状である必要はなく、例えば上側に向かって縮径する形状でもよい。
図示例の階段状周壁部２４は、大外径の下周壁部２４ａ及び小外径の上周壁部２４ｂを有する。
前記下周壁部２４ａの外面は、垂直面に形成され、この垂直面に、図１に想像線で示すオーバーキャップＣの下端部を嵌着できるように形成している。
また前記上周壁部２４ｂの後壁部分を、側方から見て、外側へ膨らむ略円弧状の弧状壁部２５に形成している。
この弧状壁部２５には、後述の第２アームを挿通させるための切欠き２６を形成している。図示例の切欠き２６は、左右方向に幅広の長孔に形成されている（図２参照）。
前記階段状周壁部２４の内面には、前記下側軸受１４の上方に位置させて、左右一対の上側軸受２８が設けられている。これら上側軸受２８は、階段状周壁部２４の左右両壁部の内面から、縦長の突起部を内方に突設するとともに、図３に示す如く、この突起部の下端部に、半円形の上側半穴３０を形成してなる。キャップ体２０の上側半穴３０と外容器体４の下側半穴１６とは、外容器体４の上端部１０にキャップ体２０を嵌合させたときに、一つの軸穴Ｂが形成されるように設ける。
前記点鼻ノズル３４は、前記頂壁３２の内縁から起立するノズル筒３６と、ノズル筒３６の筒孔上端部内に嵌合する噴霧エレメント４０とを有する。
前記ノズル筒３６は、大径の下半筒部３６ａから小径の上半筒部３６ｂを起立している。そして前記下半筒部３６ａの下端から延長筒部３８を、また前記上半筒部３６ｂの下端から垂下筒部３９をそれぞれ下方へ延設しており、延長筒部３８と垂下筒部３９とが二重筒となるように形成されている。
前記噴霧エレメント４０は、ノズル筒３６の筒孔内に嵌着された差込筒部４０ａと、この差込筒部４０ａの上端部に一体設された上板部４０ｂとを有する。この上板部４０ｂには噴霧孔４１が開口されている。
【００１８】
操作レバー４２は、レバー本体４４と操作部４６とで形成されている。
前記レバー本体４４は、左右両側に付設した左右一対の回転軸Ａを、前記軸穴Ｂに軸着させており、左右方向から見て、この軸着箇所より前方へ延びる一対の第１アーム４４ａと前記切欠き２６を介して上方へ延びる一対の第２アーム４４ｂとを有する略Ｖ形のテコ手段に形成されている（図１、図３参照）。
一対の第１アーム４４ａの先端部は前記吐出容器５０の本体５１の一部（図示例では後述の装着部材５４の支持用突部６６の下面）に当接されている。
一対の第２アーム４４ｂの先端部の間には操作部４６が架設されている。
前記操作部４６は、一対の第２アーム４４ｂの先端部に連結されており、この連結箇所から後方へ延出している。操作部４６の前端は前記点鼻ノズル３４の後面に当接されている。
図示の操作部４６は、図２に示す如く、左右方向に長い水平な操作板に形成されているが、この構造は適宜変更できる。図示例では、操作板の上面に左右方向に延びる複数の凸条からなる滑り止め４７が形成されている。またその操作板の後縁から係止爪４８を立設させている。もっともこれらの構造は適宜変更することができる。
【００１９】
吐出容器５０は、前記外ケース２内に配置（収容）されており、本体５１と、吐出部材７８とを有する。
前記本体５１は、内容物が収容される内容器体５２と、該内容器体の口頸部５２ａに装着される装着部材５４とを有する。図示の装着部材５４は、前記口頸部５２ａに嵌合させた装着筒部５６の上端から内向き環状フランジ５８を介して起立筒部６０を上方へ突設している。
前記吐出部材７８は、シリンダ８０及びステム８２を有する。シリンダ８０は、前記装着部材５４から内容器体５２内へ垂設される。またステム８２は、上方付勢状態で前記装着部材５４から上下動可能に突出しており、この上下動により、内容器体５２の液体がシリンダ８０内へ吸い上げられ、ステム８２から吐出される。
【００２０】
本発明においては、前記起立筒部６０の昇降を案内させるために、起立筒部６０の周面を前記垂下筒部３９に当接又は近接させている。
図示例の起立筒部６０は、前記内向き環状フランジ５８の内周部より大径筒部６０ａを起立し、さらに大径筒部６０ａの上端から縮径部６０ｃを介して小径筒部６０ｂを起立している。そしてこの小径筒部６０ｂが、前記垂下筒部３９と延長筒部３８との間に挿入されている。前記小径筒部６０ｂの内面には、縦溝ｇが形成されている。
【００２１】
また前記本体５１は、装着部材５４の前記起立筒部６０の外周面から側外方へ突設された支持用突部６６を有する。この支持用突部６６の下面に前記一対の第１アーム４４ａの先端部が当接されている。これにより、外ケース２内に吐出容器５０が支持されており、かつ、操作レバー４２を側外方へ回転させたときに、本体５１が引き上げられる。
図示例では、前記起立筒部６０の適所（図示例では前記大径筒部６０ａの上端）から縦筒部６４を介して支持用突部６６を側外方へ突設している。しかしながら、この構成は適宜変更することができる。
また図示例の支持用突部６６は、外向き環状フランジとして形成されているが、その形状は適宜変更することができ、例えば装着部材５４の左右両側から側外方へ突設する左右一対の支持用板部としても構わない。
【００２２】
本発明では、図１の状態で、操作レバー４２の第１アーム４４ａの先端部が装着部材５４の支持用突部６６の下面に当接されており、また第２アーム４４ｂが点鼻ノズル３４の外面に当接されている。これにより、吐出容器５０が操作レバー４２を介して外ケース２内に支持されている。
前記操作レバー４２の操作部４６に指を掛けて後方へ引くと、図４に示す如く、回転軸Ａを中心として操作レバー４２が回転し、第２アーム４４ｂが後方へ傾くとともに第１アーム４４ａの上端が上昇するため、吐出容器５０の本体５１が引き上げられる。他方、ステム８２は点鼻ノズル３４に固定されているために上昇しない。このため、ステム８２が上方付勢力に抗して本体５１に向けて移動する（相対的に下降する）こととなり、シリンダ８０内の液体がステム８２から点鼻ノズル３４内へ吐出され、点鼻ノズル３４の先端の噴霧孔４１から噴霧される。
次に操作部４６を元の位置へ戻すと、前記ステム８２に対して吐出容器５０の本体５１が下降するので、内容器体５２からシリンダ８０内へ液体が吸い上げられる。
本発明においては、点鼻ノズル３４付きのキャップ体２０を押し下げて噴霧させる構造ではないため、点鼻ノズル３４の位置を固定し易い。
また操作部４６を操作する方向は、前後方向であり、上下方向ではないので、点鼻ノズル３４が利用者の鼻腔に深く入り、鼻腔内部を傷つけるという可能性が軽減される。
さらに操作レバー４２は外ケース２の上部に位置しているので、操作し易い。
【００２３】
本発明の点鼻スプレーを組み立てる一例を説明する。図３に示す如く、まず外容器体４の下側半穴１６内に、操作レバー４２の回転軸Ａの下半部を嵌合させる。
次に、キャップ体２０の点鼻ノズル３４内に吐出容器５０のステム８２を嵌合させる。
そして、この嵌合状態を保ったままで、前記装着部材５４の支持用突部６６を前記操作レバー４２の一対の第１アーム４４ａの先端部の上に載置させた状態で、吐出容器５０の下半部を外容器体４内に収容させる。
さらに操作レバー４２の回転軸Ａの上半がキャップ体２０の上側半穴３０に嵌合されるように、キャップ体２０を外容器体４の上端部１０に嵌合させればよい。
【００２４】
本発明は、前記実施形態に限定されるものではなく、種々の形態を採用することが可能である。また、点鼻用としてその構成及び使用方法を述べたが、その他の用途に使用することも可能である。
【符号の説明】
【００２５】
２…外ケース  ４…外容器体  ６…外底壁
８…外周壁  ８ａ…前壁部  ８ｂ…側壁部  ８ｃ…後壁部
１０…上端部  １０ａ…外リブ  １２…大外径部  １４…下側軸受  １６…下側半穴
２０…キャップ体  ２２…嵌合筒部  ２４…階段状周壁部  ２４ａ…下周壁部
２４ｂ…上周壁部  ２５…弧状壁部  ２６…切欠き
２８…上側軸受  ３０…上側半穴
３２…頂壁
３４…点鼻ノズル  ３６…ノズル筒  ３６ａ…下半筒部  ３６ｂ…上半筒部
３８…延長筒部  ３９…垂下筒部  
４０…噴霧エレメント  ４０ａ…差込筒部  ４０ｂ…上板部  ４１…噴霧孔
４２…操作レバー  ４４…レバー本体
４４ａ…第１アーム  ４４ｂ…第２アーム
４６…操作部  ４７…滑り止め  ４８…係止爪
５０…吐出容器  ５１…本体
５２…内容器体  ５２ａ…口頸部
５４…装着部材  ５６…装着筒部  ５８…内向き環状フランジ  ６０…起立筒部
６０ａ…大径筒部  ６０ｂ…小径筒部  ６０ｃ…縮径部
６４…縦筒部  ６６…支持用突部
７８…吐出部材  ８０…シリンダ  ８２…ステム  
Ａ…回転軸  Ｂ…軸穴  Ｃ…オーバーキャップ  ｇ…縦溝
【図１】
2020055560.tif 000003
【図２】
2020055560.tif 000004
【図３】
2020055560.tif 000005
【図４】
2020055560.tif 000006